(57)【要約】【課題】２枚の合成樹脂材によって構成される収納用トレーにおいて、２枚の合成樹脂材の互いの取り付けを容易に行うことができ、製造時の手間を省くことができる収納用トレーを提供する。【解決手段】被収納物を収納する収納凹部３２が形成されている合成樹脂製の上材３４と、上材３４の下面に取り付けられる合成樹脂製の下材３６とを有する収納用トレー３０において、上材３４または下材３６のうちのいずれか一方の外周縁部に、外方に向けて突出する鍔部４０が形成され、上材３４または下材３６のうちのいずれか他方の外周縁部に、鍔部４０の先端部４０ａを覆うように延出する周壁部４２が形成され、周壁部４２の内壁には、内方に突出する係止部４４が形成され、上材３４と下材３６とを互いに取り付ける場合に、周壁部４２が弾性変形することで鍔部４０が係止部４４を乗り越えて係止部４４に係止されるように設けられる。【選択図】図３
2008168916.tif 000002
【特許請求の範囲】
【請求項１】
被収納物を収納する収納凹部が形成されている合成樹脂製の上材と、
上材の下面に取り付けられる合成樹脂製の下材とを有する収納用トレーにおいて、
前記上材または前記下材のうちのいずれか一方の外周縁部に、外方に向けて突出する鍔部が形成され、
前記上材または前記下材のうちのいずれか他方の外周縁部に、前記鍔部の先端部を覆うように延出する周壁部が形成され、
該周壁部の内壁には、内方に突出する係止部が形成され、
前記上材と前記下材とを互いに取り付ける場合に、前記周壁部が弾性変形することで鍔部が前記係止部を乗り越えて該係止部に係止されるように設けられることを特徴とする収納用トレー。
【請求項２】
前記係止部は、前記周壁部の一部に形成されていることを特徴とする請求項１記載の収納用トレー。
【請求項３】
周壁部が形成された前記上材または前記下材には、
形成された周壁部との間で鍔部を挟み込むように、前記外周縁部の鍔部が形成されている箇所の内壁に当接する当接壁が形成されていることを特徴とする請求項１または請求項２記載の収納用トレー。
【発明の詳細な説明】
【技術分野】
【０００１】
本発明は、被収納物を収納する収納凹部が形成された収納用トレーに関する。
【背景技術】
【０００２】
電子部品等を保管・運送する際には、電子部品等の被収納物を収納可能となるように複数の収納凹部が形成された収納用トレーが用いられる。かかる収納用トレーとしては、ポリプロピレン、ポリスチレン、ＰＥＴ等の平板状の合成樹脂を真空成形することによって形成されることが一般的である。
【０００３】
従来の一般的な収納用トレーを図８に示す。
この収納用トレー１０は、１つのトレーで複数個の被収納物を収納できるように、被収納物の大きさに凹んで形成された収納凹部１２が複数の区画に設けられている。収納凹部１２は、合成樹脂材が上方に突出するように形成されてなるリブ１３に周囲を囲まれて形成されている。
また、収納用トレー１０の最外周に位置する各リブ１３の下端部には、外方に向けて突出する鍔部１４が形成されている。
【０００４】
なお、一般的にこのような収納用トレーは、複数枚積み重ねられて保管されたりあるいは運送されている。このため、収納用トレーが変形しないように、剛性を高めるべく、２枚の合成樹脂材を貼り合わせた収納用トレーが従来より提案されている（例えば、特許文献１、特許文献２参照）。
【０００５】
【特許文献１】特開２０００−９４５０３号公報
【特許文献２】特開２００１−７２１７３号公報
【発明の開示】
【発明が解決しようとする課題】
【０００６】
図９に、従来の２枚の合成樹脂材１５，１６を貼り合わせた収納用トレーの貼り合わせ部分を示す。貼り合わせは、合成樹脂材１５の鍔部１４の下面と、合成樹脂材１６の上面を貼り合わせることで行われる。
このように、２枚の合成樹脂材を貼り合わせた収納用トレーを製造する場合、両合成樹脂材の外周縁部に接着剤を塗布して接着させたり、あるいはヒートシールによって貼り合わせるなどの手段が採用されてきた。
【０００７】
しかし、接着剤を用いたりヒートシールによって２枚の合成樹脂材を貼り合わせるのでは製造時の手間がかかるため、２枚の合成樹脂材から構成される収納用トレーであっても容易に製造可能な収納用トレーが望まれているという課題がある。
【０００８】
したがって、本発明は上記課題を解決すべくなされ、その目的とするところは、２枚の合成樹脂材によって構成される収納用トレーにおいて、２枚の合成樹脂材の互いの取り付けを容易に行うことができ、製造時の手間を省くことができる収納用トレーを提供することにある。
【課題を解決するための手段】
【０００９】
本発明にかかる収納用トレーによれば、被収納物を収納する収納凹部が形成されている合成樹脂製の上材と、上材の下面に取り付けられる合成樹脂製の下材とを有する収納用トレーにおいて、前記上材または前記下材のうちのいずれか一方の外周縁部に、外方に向けて突出する鍔部が形成され、前記上材または前記下材のうちのいずれか他方の外周縁部に、前記鍔部の先端部を覆うように延出する周壁部が形成され、該周壁部の内壁には、内方に突出する係止部が形成され、前記上材と前記下材とを互いに取り付ける場合に、前記周壁部が弾性変形することで鍔部の先端部が前記係止部を乗り越えて該係止部に係止されるように設けられることを特徴としている。
この構成を採用することによって、上材と下材とを互いに取り付ける場合には、上材または下材の外周縁部に形成されている周壁部に、鍔部が係止部を乗り越えるようにして周壁部を弾性変形させて、鍔部が係止部によって係止されて上材と下材とが取り付けられる。
【００１０】
また、前記係止部は、前記周壁部の一部に形成されていることを特徴としてもよい。係止部が一部に形成されているだけであれば、鍔部を装着する際に周壁部を大きく変形させずにすみ、さらに取り付けが容易に行える。
【００１１】
さらに、周壁部が形成された前記上材または前記下材には、形成された周壁部との間で鍔部を挟み込むように、前記外周縁部の鍔部が形成されている箇所の内壁に当接する当接壁が形成されていることを特徴としてもよい。この構成によれば、鍔部が周壁部と当接壁との間で挟み込まれて、強固に上材と下材とが取り付けられる。
【発明の効果】
【００１２】
本発明の収納用トレーによれば、上材と下材の２枚の合成樹脂材によって構成される収納用トレーの上材と下材との取り付けを容易にすることで製造時のコスト削減を図れる。
【発明を実施するための最良の形態】
【００１３】
（第1の実施形態）
以下、本発明の好適な実施の形態を添付図面に基づいて詳細に説明する。
図１は収納用トレーの斜視図、図２は収納用トレーの断面図である。また、図３には上材と下材との取り付け部分の拡大図を示している。
収納用トレー３０は、収納凹部３２が形成された上材３４と、収納凹部３２の底面を覆うように上材３４の下面に取り付けられる下材３６とから構成されている。
収納凹部３２には、電子部品等の被収納物が収納される。
【００１４】
上材３４および下材３６は、ポリプロピレン、ポリスチレン、ＰＥＴ等の平板状の合成樹脂材を真空成形加工して凹凸を設けて形成されたものである。
収納用トレー３０は、被収納物を収納凹部３２に収納した後、複数枚積み重ねられて使用され、積み重ねた状態で被収納物の保管または運送等がされる。
【００１５】
上材３４の収納凹部３２は、その周囲を上方に突出する山型状の収納凹部形成リブ３３によって囲まれて形成されている。各収納凹部３２の形状は、被収納物の形状によって様々な形状を取りうるが、本実施形態では平面視長方形状の単純なものを例として図示している。
上材３４の最外周に位置する収納凹部形成リブ３３の外側壁は、トレー全体の外周壁３８として構成されている。外周壁３８の下端部には、外方に突出する鍔部４０が形成されている。
【００１６】
本実施形態における下材３６は、上材３４の下面全体を覆うように形成されており、ほぼ平板状に形成されている。
下材３６の外周縁部には、上方に折り曲げられるようにして形成された周壁部４２が設けられている。
【００１７】
周壁部４２には、内方に突出する係止部４４が形成されている。係止部４４は、鍔部４０を係止させる機能を有しているものであり、上材３４と下材３６とを組み付けた際に鍔部４０の先端部４０ａの位置Ａ（図３参照）よりも内側に突出するように形成されている。
【００１８】
上材３４と下材３６との取り付けは、上材３４の鍔部４０を下材３６の周壁部４２に嵌め込むようにして行う。
すなわち、上材３４と下材３６とを互いに接近させ、鍔部４０を周壁部４２の係止部４４を乗り超えるように押し込む。すると、周壁部４２は、係止部４４が鍔部４０に押されて外側に傾くように変形する（図３の破線参照）。すると、鍔部４０が係止部４４を乗り越えて、鍔部の底面４０ｂが、下材３６の上面３６ａに当接する位置まで押し込まれる。その後、周壁部４２は弾性によって元の位置に戻り、鍔部４０の上方に係止部４４が位置する。このため、鍔部４０は係止部４４によって下材３６から外れないように係止され、上材３４と下材３６とが取り付けられる。
【００１９】
なお、係止部４４は、下材３６の外周縁を覆う周壁部４２の全体に形成されていなくてもよい。すなわち、周壁部４２の一部分に係止部４４が形成されていても、鍔部４０の抜け止めが図れる。
【００２０】
また、図４に、鍔部４０の外方側と内方側を挟み込むことができる構成について示す。
下材３６には、上材３４の外周壁３８の内壁に当接するように上方に向けて立ち上げられた当接壁５０が形成されている。当接壁５０は、外周壁３８の内壁のうち少なくとも鍔部４０の内側に該当する部分に当接していればよい。
このような構成により、鍔部４０は、当接壁５０の外壁面と周壁部４２の内壁面との間で挟み込まれ、鍔部４０が簡単に脱落してしまわないようにすることができる。
【００２１】
なお、図４では、下材３６は、当接壁５０を形成するために、下材３６の底面３６ｂを上方に山型状に立ち上げるようにしたものについて図示した。
しかし、鍔部４０を挟み込む構成としては、これに限定することはなく、下材３６の底面３６を段差状に形成して、当接壁５０を形成してもよい（図７参照）。
【００２２】
（第２の実施形態）
次に、収納用トレーの第２の実施形態について、図５および図６に基づいて説明する。なお、上述した実施形態と同一の構成要素については同一の符号を付し、説明を省略する場合もある。
第２の実施形態では、周壁部への鍔部の嵌め込みが上面側で行っている点で第１の実施形態と異なっている。
【００２３】
本実施形態の上材３４の最外周に位置する収納凹部形成リブ３３には外側壁が形成されておらず、下材３６の外周縁部から上方に向けて立ち上げられた部位が、トレー全体の外周壁４８として構成されている。
下材３６から立ち上げられた外周壁４８の上端部には、外方に突出する鍔部４０が形成されている。
【００２４】
本実施形態における下材３６は、上材３４の下面全体を覆う平板状の底部４９と、底部４９の外周縁部から立ち上げられる上述した外周壁４８とから構成されている。
また、上材３４の外周縁部には、下方に折り曲げられるようにして形成された周壁部４２が設けられている。
【００２５】
周壁部４２には、内方に突出する係止部４４が形成されている。係止部４４は、鍔部４０を係止させる機能を有しているものであり、上材３４と下材３６とを組み付けた際に鍔部４０の先端部４０ａよりも内側に突出するように形成されている。
【００２６】
上材３４と下材３６との取り付けは、下材３６の鍔部４０を上材３４の周壁部４２に嵌め込むようにして行う。
すなわち、上材３４と下材３６とを互いに接近させ、鍔部４０を周壁部４２の係止部４４を乗り超えるように押し込む。すると、周壁部４２は、係止部４４が鍔部４０に押されて外側に傾くように変形する（図６の破線参照）。すると、鍔部４０が係止部４４を乗り越えて、鍔部の上面４０ｃが、上材３４の上面３４ａに当接する位置まで押し込まれる。その後、周壁部４２は弾性によって元の位置に戻り、鍔部４０の上方に係止部４４が位置する。このため、鍔部４０は係止部４４によって上材３４から外れないように係止され、上材３４と下材３６とが取り付けられる。
【００２７】
なお、係止部４４は、上材３４の外周縁を覆う周壁部４２の全体に形成されていなくてもよい。すなわち、周壁部４２の一部分に係止部４４が形成されていても、鍔部４０の抜け止めが図れる。
【００２８】
また、図７に、鍔部４０の外方側と内方側を挟み込むことができる構成について示す。
上材３４には、下材３６の外周壁４８の内壁に当接するように上方に向けて立ち上げられた当接壁５４が形成されている。当接壁５４は、外周壁４８の内壁のうち少なくとも鍔部４０の内側に該当する部分に当接していればよい。
このような構成により、鍔部４０は、当接壁５４の外壁面と周壁部４２の内壁面との間で挟み込まれ、鍔部４０が簡単に脱落してしまわないようにすることができる。
【００２９】
なお、図７では、上材３４は、当接壁５４を形成するために、上材３４の上面３４ｂを段差状に形成する場合について図示した。しかし、鍔部４０を挟み込む構成としては、これに限定することはなく、当接壁５４を形成する部位を溝状に形成してもよい（図４参照）。
【００３０】
また、上述してきた各実施形態では、上材３４と下材３６とは、鍔部４０と周壁部４２の係止部分のみで接触するような各図面に基づいて説明してきた。しかし、本発明では、このようなものに限定することはなく、鍔部４０と周壁部４２以外の他の部位で上材３４と下材３６が接触することを妨げるものではない。
したがって例えば、上材３４の収納凹部３２の底面が下材３６の上面に接触するような構成であってもよい。
【００３１】
以上本発明につき好適な実施形態を挙げて種々説明したが、本発明はこの実施形態に限定されるものではなく、発明の精神を逸脱しない範囲内で多くの改変を施し得るのはもちろんである。
【図面の簡単な説明】
【００３２】
【図１】本発明の収納用トレーの斜視図である。
【図２】収納用トレーの断面図である。
【図３】上材と下材の取り付け部分の拡大図である。
【図４】鍔部を外側と内側とで挟み込む構成の、上材と下材の取り付け部分の拡大図である。
【図５】第２の実施形態の収納用トレーの断面図である。
【図６】第２の実施形態の上材と下材の取り付け部分の拡大図である。
【図７】第２の実施形態の鍔部を外側と内側とで挟み込む構成の、上材と下材の取り付け部分の拡大図である。
【図８】従来の、２枚の合成樹脂材を貼り合わせてなる収納用トレーの斜視図である。
【図９】合成樹脂材の貼り合わせ部分の拡大図である。
【符号の説明】
【００３３】
３０  収納用トレー
３２  収納凹部
３３  収納凹部形成リブ
３４  上材
３４ａ  上面
３６  下材
３６ａ  上面
３８  外周壁
４０  鍔部
４０ａ  先端部
４０ｂ  底面
４０ｃ  上面
４２  周壁部
４４  係止部
４８  外周壁
４９  底部
５０，５４  当接壁
５２  溝部
【図１】
2008168916.tif 000003
【図２】
2008168916.tif 000004
【図３】
2008168916.tif 000005
【図４】
2008168916.tif 000006
【図５】
2008168916.tif 000007
【図６】
2008168916.tif 000008
【図７】
2008168916.tif 000009
【図８】
2008168916.tif 000010
【図９】
2008168916.tif 000011